(57)【要約】【課題】脱着が容易なトラクタ直装式作業機のスタンド保管機構を提供する。【解決手段】スタンド保管機構は、牽引横バーの中心から左右両側に固定した少なくとも２個所の係着金具と、この係着金具に対応する左右対の保管スタンドで構成されている。前記係着金具は、縦方向の相対するガイドプレートの前面に形成された開口の上部縁辺間を係止バーで一体結合して、後部縁辺を前記牽引横バーに固定した構成になり、前記保管スタンドは、接地ベースフレームから上方へ延びる支柱の先端部分を、前記係着金具のガイドプレート間に差し入れ可能な挿入部に形成し、その先端部に前記係着金具の係止バーに係着されるフック状の掛け金具を一体に設けてある。この支柱の前記挿入部下部に前記係着金具のガイドプレート下端を係止する受け部が形成されている。【選択図】図３
2010279275.tif 000002
【特許請求の範囲】
【請求項１】
後方に向けて作業ユニットを取り付けた牽引横バーの牽引アームをトラクタロアリンクに連結するトラクタ直装式作業機の保管機構であって、牽引横バーの中心から左右両側に固定した少なくとも２個所の係着金具と、この係着金具に対応する保管スタンドからなり、前記係着金具は、縦方向の相対するガイドプレートの前面に形成された開口の上部縁辺間を係止バーで一体結合して、後部縁辺を前記牽引横バーに固定した構成になり、前記保管スタンドは、接地ベースフレームから上方へ向けて延在させた支柱の先端部分を前記係着金具のガイドプレート間に差し入れ可能な挿入部に形成してその先端部に前記係着金具の係止バーに係着されるフック状の掛け金具を一体に設けるとともに、この支柱の前記挿入部下部に前記係着金具のガイドプレート下端を係止する受け部を形成した構成になることを特徴とするトラクタ直装式作業機のスタンド保管機構
【発明の詳細な説明】
【技術分野】
【０００１】
本発明は、トラクタロワリンクに結合する牽引横バーの長手方向に複数の作業機を連結したトラクタ直装式作業機のスタンド保管機構に関する。
【背景技術】
【０００２】
トラクタのロワリンクに連結される牽引横バーの長手方向に沿って複数の作業機ユニットを装着したトラクタ直装式の作業機は、保管時の安定性が悪い関係で一般に保管スタンドを使用する場合が多い。
【０００３】
この種のトラクタ直装式作業機のスタンド保管機構としては、図９、図１０に示すように、作業機側の牽引横バー４に左右の係着金具７、７を固定するとともに、保管スタンド８の支柱１３先端付近を、作業機側係着金具７、７によって形成された縦方向のコの字形ガイドプレート９内に嵌合し、ガイドプレート９とスタンド先端付近相互に形成した通孔にピン５を挿入して保管スタンド８に支持させていた。なお、図は省略したが、牽引横バー４の軸方向にはカルチベータなどの作業機ユニットが後方へ向けて所定間隔で連結されており、牽引横バー４の中央部にトラクタのロワリンクに連結される結合アーム６ａ、６ｂ、６ｃが一体に固設されている。
【発明の概要】
【発明が解決しようとする課題】
【０００４】
このようなスタンド保管機構は、作業機に保管スタンド８を係着したまま所望の保管位置へ移動できるものであるが、トラクタロワリンクに連結した作業機の係着金具７に保管スタンド８を結合するには保管スタンド８を持ち上げたままの体勢で先端付近の通孔を係着金具７のガイドプレート９に設けた通孔に位置合わせをしてピン５を挿入しなければならないので作業性が悪く、重労働である。
【０００５】
従って、本発明の目的は、保管スタンドを装着したまま保管場所を移動でき、作業機と保管スタンドの脱着が容易なトラクタ直装式作業機のスタンド保管機構を提供することにある。
【課題を解決するための手段】
【０００６】
上記目的を達成するために、本発明による作業機のスタンド保管機構は、後方に向けて作業ユニットを取り付けた牽引横バーの牽引アームをトラクタロアリンクに連結するトラクタ直装式作業機の保管機構であって、牽引横バーの中心から左右両側に固定した少なくとも２個所の係着金具と、この係着金具に対応する保管スタンドからなり、前記係着金具は、縦方向の相対するガイドプレートの上部外側縁辺間を係止バーで一体結合して前記牽引横バーに固定した構成になり、前記保管スタンドは、接地ベースフレームから上方へ向けて延在させた支柱の先端部分を前記係着金具のガイドプレート間に差し入れ可能な挿入部に形成してその先端部に前記係着金具の係止バーに係着されるフック状の掛け金具を一体に設けるとともに、この支柱の前記挿入部下部に前記係着金具のガイドプレート下端を係止する受け部を形成した構成になることを特徴とする。
【発明の効果】
【０００７】
保管スタンド１１の支柱１３先端の挿入柱体部１５を、牽引横バー４に固定した係着金具７のガイドプレート９、９間に差し入れ、掛け金具１６を係着金具７の係止バー１０に引っ掛けるだけで、保管スタンド１１はトラクタに連結された牽引横バー４に宙吊りに係着される。
保管スタンドを装着したまま所望の保管場所へ移動して保管スタンド１１を接地させるだけで、牽引横バー４の係着金具７が、保管スタンド１１の支柱１３に設けた受け部１７に係止される。その後、牽引横バー４の牽引アーム６ａ、６ｂ、６ｃをトラクタロワリンク３から外すことによって保管作業が完了する。
ロワリンク３を持ち上げると保管スタンド１１が宙吊りになり、手で保管スタンド１１を持ち上げ、受け部１７を前方へかわして下へ引けばよいので容易に保管スタンドを外すことができる。
このように、本発明によれば、ボルト孔の位置合わせやボルト締め作業を一切必要とせずに作業機を簡単に保管することができる。
【図面の簡単な説明】
【０００８】
【図１】本発明によるスタンド保管機構の使用説明図
【図２】本発明によるスタンド保管機構の要部構成図
【図３】本発明によるスタンド保管機構の要部構成図
【図４】本発明によるスタンド保管機構の作用説明図
【図５】本発明によるスタンド保管機構の作用説明図
【図６】本発明によるスタンド保管機構の作用説明図
【図７】本発明によるスタンド保管機構の作用説明図
【図８】本発明によるスタンド保管機構の接地状態を示す使用説明図
【図９】従来のスタンド保管機構の要部構成図
【図１０】従来のスタンド保管機構の要部構成図
【発明を実施するための形態】
【０００９】
以下、本発明の実施例を添付の図面に基づいて説明する。
図１は、作業機ユニット１を脱着可能に搭載してトラクタ２のロワリンク３に連結される牽引横バー４に、本発明によるスタンド保管機構を使用して保管スタンド１１を係着した状態を示すもので、図２、図３はその要部構成図である。
図２及び図３に示すように、牽引横バー４は軸方向に沿って複数の作業機ユニット１（図１参照）を所定間隔で取付ける取付部１０´を有するとともに、中央部に前記トラクタ２の３点ロワリンク３に連結する牽引アーム６ａ、６ｂ、６ｃを一体に具備している。
本発明のスタンド保管機構は、この牽引横バー４の中央部から離れて左右両側に固定された少なくとも２個所の係着金具７、７とこの係着金具７、７に脱着可能に係着されて作業機の牽引横バー４を支持する保管スタンド１１から構成されている。
【００１０】
係着金具７は、所定の巾を介して相対する縦方向のガイドプレート９、９を有し、このガイドプレート９、９の前面側上部縁辺間を係止バー１０で一体結合したフレームからなり、このガイドプレート９、９の後部（内側）縁辺を前記牽引横バー４に溶接等で一体結合されている。
図の実施例の係着金具７は、ガイドプレート９、９の後部を牽引横バー４に係合するフック部９´に形成し、フック部９´の凹部を牽引横バー４の上方から嵌合して一体結合してある。
【００１１】
前記係着金具７に対応する保管スタンド１１は、接地ベースフレーム１２とこのベースフレーム１２の前部から後方斜め上方へ向けて延びる支柱１３を補強材１４で一体形成した枠体に構成されている。
支柱１３の先端付近は、少なくとも前記係着金具７のガイドプレート９の縦長さにわたってガイドプレート９、９間へ差し入れ可能な寸法の挿入柱体部１５が形成されている。また、支柱１３は挿入柱体部１５の先端に前方へ向けたフック状の掛け金具１６を一体に有するとともに、挿入柱体部１５の下部に前記係着金具７のガイドプレート９、９の下端を係止する受け部１７を形成してある。図の実施例では受け部１７を外側へ張り出した拡径部で構成しているが、挿入柱体部１５に沿って降ろしてきた係着金具７のガイドプレート９、９を係止して作業機ユニット１を取付けた牽引横バー４を支持できる強度があれば他のいかなる構造でもよい。
【００１２】
次に本発明によるスタンド保管機構の脱着作用を説明する。
図１のように、作業機ユニット１を取付けた牽引横バー４の牽引アーム６ａ、６ｂ、６ｃをトラクタ２のロワリンク３に連結して持ち上げた状態で保管スタンド１１の支柱１３の挿入柱体部１５を差し入れて（図４）上方へ突出させた後（図５）、支柱１３の先端を前方へずらせて掛け金具１６を係着金具７の係止バー１０に係合させる（図６）。この状態では図１に示すように、保管スタンド１１は作業機の牽引横バー４に係着されたままトラクタ２のロワリンク３によって持ち上げられ、所望の保管場所に搬送することができる。
しかる後、図８のように保管スタンド１１の接地ベースフレーム１２を地面に接地させると、図７に示すように牽引横バー４に固定した係着金具７のガイドプレート９の下端が支柱１３の受け部１７に係止され、作業機ユニット１を装着した牽引横バー４が左右の保管スタンド１１、１１に支持され、牽引横バー４の牽引アーム６ａ、６ｂ、６ｃをトラクタロワリンク３から外すことで保管作業が完了する。
保管スタンド１１を外すときは、ロワリンク３を持ち上げると図６、図１のように保管スタンド１１が宙吊りになるので、手で保管スタンド１１を持ち上げ、受け部１７を前方へかわして下へ引けばよい。
【産業上の利用可能性】
【００１３】
本発明によるトラクタ直装式作業機のスタンド保管機構は、各種作業アタッチメントを使用する畑作農業分野に広く使用することができる、
【符号の説明】
【００１４】
１…作業機ユニット
２…トラクタ
３…３点ロワリンク
４…牽引横バー
５…ピン
６ａ、６ｂ、６ｃ…牽引アーム
７…係着金具
８…保管スタンド
９…ガイドプレート
９´…フック部
１０…係止バー
１０´…取付部
１１…保管スタンド
１２…接地ベースフレーム
１３…支柱
１４…補強材
１５…挿入柱体部
１６…掛け金具
１７…受け部
【図１】
2010279275.tif 000003
【図２】
2010279275.tif 000004
【図３】
2010279275.tif 000005
【図４】
2010279275.tif 000006
【図５】
2010279275.tif 000007
【図６】
2010279275.tif 000008
【図７】
2010279275.tif 000009
【図８】
2010279275.tif 000010
【図９】
2010279275.tif 000011
【図１０】
2010279275.tif 000012